(57)【要約】      （修正有）【課題】原稿の先端を正確に検出するとともに、装置の構成を簡素化して、装置自体の製造原価の低廉化を図ることができる原稿読取装置を提供する。【解決手段】原稿Ｐに記載されたデータを読み取る読取部１００と、該原稿Ｐを該読取部１００に繰り出す搬送手段２００と、該原稿Ｐのデータを該読取部１００で読み取った後、外部に該原稿Ｐを排出する排出手段３００とを有し、読取部１００は、複数のイメージセンサ１１０を千鳥状に配置して、主走査方向に隣接するイメージセンサ１１０を互いに重複させて構成し、さらに、原稿Ｐと対向する面には、該イメージセンサ１１０を覆うプラテンガラス４００が設けられ、イメージセンサ１１０と対向する面に、原稿Ｐを読取部１００に導入する原稿導入部５００が配置され、原稿導入部５００は、回転体からなり、該回転体の一端側または両側に原稿先端検出部が設けられている。【選択図】図１
2014033285.tif 000002
【特許請求の範囲】
【請求項１】
原稿に記載されたデータを読み取る読取部と、該原稿を該読取部に繰り出す搬送手段と、該原稿のデータを該読取部で読み取った後、外部に該原稿を排出する排出手段とを有し、
前記読取部は、複数のイメージセンサを千鳥状に配置して、主走査方向に隣接するイメージセンサを互いに重複させて構成し、さらに、前記原稿と対向する面には、該イメージセンサを覆うプラテンガラスが設けられ、
前記イメージセンサと対向する面に、前記原稿を前記読取部に導入する原稿導入部が配置され、
前記原稿導入部は、回転体からなり、該回転体の一端側または両側に原稿先端検出部が設けられていることを特徴とする原稿読取装置。
【請求項２】
前記回転部材は白色部材からなり、前記原稿先端検出部は黒色の部材からなり、
前記原稿の先端を前記原稿導入部に突き当て、該原稿の先端が前記原稿先端検出部を所定の範囲を覆ったときに、前記原稿の先端を検出することを特徴とする請求項１記載の原稿読取装置。
【請求項３】
前記原稿先端検出部が前記原稿の先端を検出した時、前記搬送手段は、前記原稿が待機位置に戻るように作動することを特徴とする請求項１または２記載の原稿読取装置。
【発明の詳細な説明】
【技術分野】
【０００１】
本発明は、原稿読取装置に関するものであり、特には、原稿を読み取る時に、原稿の先端を検出する原稿読取装置に関するものである。
【技術背景】
【０００２】
画像を正確に読み取るために、原稿を正確に搬送する必要があり、特許文献１の構成が提案されている。この構成は、原稿２５を搬送する給紙ローラと、光源１４ａ及び受光部１４ｂを有する読取り部１４と、原稿読取り時の白色の基準となる白基準ローラ２３とからなる。
【０００３】
この白基準ローラ２３上に搬送された原稿２５の先端部に光源１４ａからの光が斜めに当たり、白基準ローラ２３上に原稿２５の先端部の影が形成されると該影を受光部１４ｂが検出する。さらに、この影を検出した位置から所定量だけ原稿２５を搬送して読取り開始位置に導かれるものである。
【特許文献１】特開２００５−５７４８３号
【発明の開示】
【発明が解決しようとする課題】
【０００４】
しかし、上記構成は、白基準ローラ２３上に原稿２５の先端部の影を受光部１４ｂによって検出するものであるため、地下が白色で薄い原稿や、トレーシングペーパ等の薄い原稿等の透過原稿の場合、受光部１４ｂで検出するだけの影ができず、原稿の先端を検出できなくなるという問題がある。
【０００５】
また、段落番号００１４および００１６の記載、図２の図示のように、原稿２５の搬送を、原稿２５がセットされたことを検出する原稿検出センサ１３ａと、原稿２５が待機位置まで搬送されたことを検出する原稿検出センサ１３ｂとの検出結果により、行われるため、原稿の検出機構の部品点数が多くなるものであった。
【０００６】
本発明は、上記問題に鑑みてなされたものであり、原稿の先端を正確に検出するとともに、装置の構成を簡素化して、装置自体の製造原価の低廉化を図ることができる原稿読取装置を提供することを課題とする。
【課題を解決するための手段】
【０００７】
上記問題を解決するために、請求項1記載の発明は、原稿に記載されたデータを読み取る読取部と、該原稿を該読取部に繰り出す搬送手段と、該原稿のデータを該読取部で読み取った後、外部に該原稿を排出する排出手段とを有し、読取部は、複数のイメージセンサを千鳥状に配置して、主走査方向に隣接するイメージセンサを互いに重複させて構成し、さらに、原稿と対向する面には、該イメージセンサを覆うプラテンガラスが設けられ、イメージセンサと対向する面に、原稿を読取部に導入する原稿導入部が配置され、原稿導入部は、回転体からなり、該回転体の一端側または両側に原稿先端検出部が設けられていることを特徴とする。
【０００８】
また、請求項２記載の発明は、回転部材は白色部材からなり、原稿先端検出部は黒色の部材からなり、言行の先端を原稿導入部に突き当て、該原稿の先端が原稿検出部を所定の範囲を覆ったときに、画像の先端を検出することを特徴とする。
【０００９】
さらに、請求項３記載の発明は、原稿検出部が原稿の先端を検出した時、搬送手段は、原稿が待機位置に戻るように作動することを特徴とする。
【発明の効果】
【００１０】
上記構成により、本発明によれば、複数のイメージセンサを千鳥状に配置し、イメージセンサと対向する面に、画像を読取部に導入する原稿導入部を配置し、一端側または両側に画像検出部が設けられていた回転体を原稿導入部とすることにより、原稿の先端を正確に検出するとともに、装置の構成を簡素化して、装置自体の製造原価の低廉化を図ることができる。
【図面の簡単な説明】
【００１１】
【図１】本発明の原稿読取装置の断面概略図。
【図２】図１の矢視Ａの斜視図。
【図３】図１の矢視Ｂの斜視図。
【図４】原稿先端検出部の配置を示す概略図。
【発明を実施するための最良の形態】
【００１２】
以下、本発明の形態を、図を参照して説明する。図１に本発明の原稿読取装置の概略図を示す。この装置は、例えばＡ０サイズまでの大判用紙サイズの原稿Ｐを読み取るＬＥＤプリンタ等の印字出力装置に接続可能なイメージスキャナであり、スキャナ部とプリンタ部が一体となった複写機においても利用される。
【００１３】
このイメージスキャナは、図１に本発明の原稿読取装置の構成は、本体部１０と蓋部２０とからなり、搬送口から原稿Ｐを挿入して搬送手段２００に突き当てた後、搬送手段２００により原稿Ｐを読取部１００へ搬送し、原稿Ｐに記載されたデータを読取部１００で読み取った後、排出手段３００により外部に排出する構成となっている。なお、原稿Ｐに記載されたデータとは、イメージや文字、またはこれらが含まれたものをさす。
【００１４】
搬送手段２００は、一対のローラであり、搬送駆動ローラ２１０と搬送従動ローラ２２０とからなる。さらに、排出手段３００は、搬送手段２００と同様に、一対のローラであり、排出駆動ローラ３１０と排出従動ローラ３２０とからなる。
【００１５】
図２に示すように、本体部１０は、搬送駆動ローラ２１０と排出駆動ローラ３１０と原稿導入部５００とを備える。搬送駆動ローラ２１０は、第一駆動軸２１１（図１に図示）に軸支されている。
【００１６】
さらに、搬送駆動ローラ２１０は第一駆動軸２１１に二つ以上配置されている。また、この第一駆動軸２１１は図示しない駆動源に連結され、この駆動源により搬送従動ローラ２２０を回転させる。後に述べる原稿先端検出部６００により原稿Ｐの先端を検出すると、搬送駆動ローラ２１０を逆方向に所定量回動して原稿Ｐを、原稿待機位置に所定量戻すようになっている。
【００１７】
排出駆動ローラ３１０は、搬送駆動ローラ２１０と同様に、第二駆動軸３１１（図１に図示）に二つ以上配置されている。また、この第二駆動軸３１１は図示しない駆動源に連結され、この駆動源の駆動力を第二駆動軸３１１に伝達し、排出駆動ローラ３１０を回転させる。
【００１８】
原稿導入部５００は、搬送手段２００から繰り出される原稿Ｐを読取部１００に密接させるものであり、読取部１００と対向する位置、つまり、本実施の形態では、千鳥状に配置されている。また、原稿導入部５００は白色のローラからなる。
【００１９】
さらに、原稿導入部５００には、原稿導入部５００が蓋部２０側に付勢するようにバネや弾性体等からなる図示しない付勢手段が設けられている。この付勢力により、厚さ、種類、腰の強さ等の原稿Ｐの特性が変更されても、所定圧で、後に述べるプラテンガラス４００側に原稿Ｐが押圧され、正確に、読取部１００で、原稿Ｐに記載されたデータの読み取りができる。
【００２０】
さらにまた、所定の原稿導入部５００の一端側には、原稿Ｐの先端を検出する原稿先端検出部６００が設けられている。原稿先端検出部６００は、原稿導入部５００の一端を黒色に覆ったり、または、原稿導入部５００と同じ径のものを設けたりして構成されている。
【００２１】
図２に示すように、原稿先端検出部６００は、原稿Ｐに記載されたデータを読取部１１０で読み取る時に、支障がない位置に、原稿Ｐを読み込む中心に対して、原稿導入部５００の一端側に配置されている。具体的には、図４に示すように、原稿先端検出部６００は、矢印方向に原稿Ｐを搬送して、最初に原稿Ｐが到達するイメージセンサ（１００ａ、１００ａ）と、次に原稿Ｐが到達するイメージセンサ（１００ｂ、１００ｂ）とが重複する部位（ｃ、ｃ）において、最初に原稿Ｐが到達するイメージセンサ（１００ａ、１００ａ）で読み取られた原稿Ｐのデータが利用されない領域（ｄ、ｄ）に配置されている。
【００２２】
なお、この実施の形態において、原稿先端検出部６００は、原稿導入部５００の一端側に配置されているが、これに限定されることはなく、例えば、各原稿導入部５００の両側に設けたり、原稿の各サイズの幅に対応した位置に配置したりしても良い。
【００２３】
この構成により、先端が白色の原稿は原稿先端検出部６００により検出され、さらに、先端が黒色の原稿は原稿導入部５００の白色の部分で検出することができる。なお、原稿の先端の黒色は、原稿の先端の白色以外のものと考えても良い。
【００２４】
次に、蓋部２０は、読取部１００と搬送従動ローラ２２０と排出従動ローラ３２０とを備える。読取部１００は、原稿Ｐに記載されたデータを読むものであり、イメージセンサ１１０が千鳥状に配置され、原稿Ｐを読み取る時には、原稿導入部５００と対向する位置となる。
【００２５】
イメージセンサ１１０は、具体的には、ＣＣＤ（Ｃｈａｇｅ  Ｃｏｕｐｌｅｄ  Ｄｅｖｉｃｅ：ＣＣＤセンサ方式）、またはＣＩＳ（Ｃｏｎｔａｃｔ  Ｉｍａｇｅ  Ｓｅｎｓｏｒ：密着イメージセンサ方式）が適用される。
【００２６】
また、原稿導入部５００と対向する面にはプラテンガラス４００が設けられている。これにより、先に述べたが、原稿Ｐが読取部１００を通過するときに、図示しない付勢手段の付勢力の作用により、原稿導入部５００が、所定圧で、原稿導入部５００の端縁に突き当たった後、原稿Ｐがプラテンガラス４００に密着し、正確に、原稿Ｐに記載されたデータの読み取りができる。
【００２７】
さらに、プラテンガラス４００の原稿Ｐの挿入側には、原稿Ｐが読取部１００側に搬送やすいようにガイド部４１０が設けられている。このガイド部４１０は、搬送方向に徐々に幅が狭くなるように形成され、一定以上の厚みがある原稿Ｐの搬送を規制している。
【００２８】
搬送従動ローラ２２０と排出従動ローラ３２０は、読取部１００の両側に位置し、搬送駆動ローラ２１０と排出駆動ローラ３１０と協働して原稿Ｐの搬送を行うものである。搬送従動ローラ２２０は、第一従動軸２２１に軸支されている。
【００２９】
さらに、搬送従動ローラ２２０は、図２に示された搬送駆動ローラ２１０と同様に、第一従動軸２２１に二つ以上配置されている。各搬送従動ローラ２２０は、原稿Ｐを介して搬送駆動ローラ２１０、または、直接、搬送駆動ローラ２１０の回転に追従して回転する。
【００３０】
排出従動ローラ３２０は、図２に示された搬送従動ローラ２２０と同様に、第二従動軸に二つ以上配置されている。各排出従動ローラ３２０は、搬送従動ローラ２２０と同様に、原稿Ｐを介して排出駆動ローラ３１０、または、直接、排出駆動ローラ３１０の回転に追従して回転する。
【００３１】
次に、動作について述べる。以上の構成のもと、原稿Ｐの先端を挿入口（符号なし）に挿入すると、付勢手段により、搬送従動ローラ２２０が原稿Ｐ（下方）側に付勢され、所定圧で原稿Ｐが搬送される。
【００３２】
さらに、搬送手段２００により原稿Ｐが繰り出されると、原稿Ｐの先端がプラテンガラス４００のガイド部４１０に突き当たり、原稿Ｐの先端が矯正されて、プラテンガラス４００と原稿導入部５００との間に搬送される。この間、原稿Ｐの先端は、徐々に、原稿導入部５００を覆うと同時に、原稿先端検出部６００も覆うようになる。
【００３３】
読取部１００は、この原稿Ｐの搬送により、原稿先端検出部６００の黒色の部分が覆われていき、一定量、原稿先端検出部６００を覆ったことを、読取部１００で検出すると、図示しない制御手段が、原稿先端検出部６００が白色と判断して、原稿Ｐの先端を検出する。
【００３４】
この後、図示しない制御手段は、搬送駆動ローラ２１０を逆方向に所定量回動して、原稿導入部５００の表面が露出する程度、すなわち原稿Ｐの待機位置に、原稿Ｐを戻し、原稿Ｐの読み出し準備が完了する。また、原稿Ｐの先端が黒色の場合は、配置された原稿導入部５００の領域（原稿Ｐの幅）が覆われ、これを読取部１００で検出して行われ、原稿Ｐの待機位置に、原稿Ｐを戻し、原稿Ｐの読み出し準備が完了する。
【００３５】
以上のように、イメージセンサ１１０と対向する面に、画像を読取部１００に導入する原稿導入部５００を配置し、一端側または両側に原稿先端検出部６００が設けられた回転体を原稿導入部５００とすることにより、原稿Ｐの先端を正確に検出するとともに、装置の構成を簡素化して、装置自体の製造原価の低廉化を図ることができる。
【符号の説明】
【００３６】
１００  読取部
１１０  イメージセンサ
２００  搬送手段
３００  排出手段
４００  プラテンガラス
５００  原稿導入部
６００  原稿先端検出部
Ｐ  原稿
【図１】
2014033285.tif 000003
【図２】
2014033285.tif 000004
【図３】
2014033285.tif 000005
【図４】
2014033285.tif 000006